(57)【要約】【課題】解除動作の簡略化とヒューマンエラーの防止とを図り得るベルト搬送装置及びこれを備えた画像記録装置の提供。【解決手段】記録媒体を載置して搬入を開始する搬入端と該記録媒体を上面から剥離して排出する排出端との間で該記録媒体を密着させて搬送するための無端ベルト1と、無端ベルト1表面を洗浄液を用いて洗浄するための洗浄部材と、無端ベルト1表面に付着した洗浄液を吸収して除去するための洗浄液除去部材4と、記録媒体を無端ベルト1表面に圧接するための押圧部材2と、押圧部材2を無端ベルト1表面から離反した解除位置に移動させるための押圧部材解除機構6と、洗浄液除去部材を無端ベルト1表面から離反した解除位置に移動させるための連動機構7と、を備えることを特徴とする。【選択図】図２
2012116620.tif 000002
【特許請求の範囲】
【請求項１】
回転移動することにより、記録媒体を載置して搬入を開始する搬入端と該記録媒体を上面から剥離して排出する排出端との間で該記録媒体を密着させて搬送するための無端ベルトと、
前記排出端よりも前記無端ベルトの移動方向下流側に設けられ、前記無端ベルト表面を洗浄液を用いて洗浄するための洗浄部材と、
前記洗浄部材よりも前記無端ベルトの移動方向下流側であって前記搬入端よりも移動方向上流側の前記無端ベルト表面の幅方向に亘って当接及び離反可能に設けられ、前記無端ベルト表面に当接することにより該無端ベルト表面に付着した洗浄液を吸収して除去するための洗浄液除去部材と、
前記無端ベルトの前記搬入端に対して当接及び離反可能に設けられ、前記記録媒体を前記無端ベルト表面に圧接するための押圧部材と、
前記押圧部材を前記無端ベルト表面から離反した解除位置に移動させるための押圧部材解除機構と、
前記押圧部材解除機構による前記押圧部材の離反動作に連動し、前記洗浄液除去部材を前記無端ベルト表面から離反した解除位置に移動させるための連動機構と、を備えることを特徴とするベルト搬送装置。
【請求項２】
前記無端ベルトは、少なくとも前記搬入端側と前記排出端側にそれぞれ配置された２本のローラ間に架け渡されており、
前記洗浄液除去部材は、前記搬入端側の前記ローラに架け渡された部位の前記無端ベルト表面に対して当接及び離反可能に設けられていることを特徴とする請求項１記載のベルト搬送装置。
【請求項３】
前記洗浄液除去部材は、前記無端ベルトの幅方向に亘って設けられた支持部材によって下方から支持され、前記無端ベルト表面に対して、前記支持部材を支点として、自重のみによって傾倒して当接していることを特徴とする請求項１又は２記載のベルト搬送装置。
【請求項４】
前記連動機構は、先端に行くに従って先窄まりとなるテーパー状のガイド縁を有すると共に該ガイド縁が前記洗浄液除去部材の前記無端ベルト側に接離可能に設けられたくさび状部材と、前記押圧部材解除機構と前記くさび状部材とに亘って設けられ、前記押圧部材解除機構の解除動作を前記くさび状部材の前記洗浄液除去部材に対する接離動作に変換するリンク部材とを有し、
前記押圧部材解除機構の解除動作時に、前記リンク部材を介して、前記くさび状部材の前記ガイド縁を前記洗浄液除去部材に対して前記無端ベルト側から当接させつつ移動させることにより、前記洗浄液除去部材を前記ガイド縁によって案内し、前記支持部材を支点として、前記無端ベルト表面から離反する方向に移動させることを特徴とする請求項３記載のベルト搬送装置。
【請求項５】
前記連動機構は、先端に行くに従って先窄まりとなるテーパー状のガイド縁を有すると共に該先端が前記洗浄液除去部材よりも前記無端ベルト側に接離可能に設けられたくさび状部材と、前記押圧部材解除機構に設けられ、該押圧部材解除機構の解除動作時に前記くさび状部材の端部に当接して該くさび状部材を前記ガイド縁が前記洗浄液除去部材に対して当接する方向に移動させる作動部材とを有し、
前記押圧部材解除機構の解除動作時に、前記作動部材が前記くさび状部材を移動させ、前記くさび状部材の前記ガイド縁を前記洗浄液除去部材に対して前記無端ベルト側から当接させつつ移動させることにより、前記洗浄液除去部材を前記ガイド縁によって案内し、前記支持部材を支点として、前記無端ベルト表面から離反する方向に移動させることを特徴とする請求項３記載のベルト搬送装置。
【請求項６】
前記洗浄液除去部材は、洗浄液を吸収して除去するための不織布を表面に有すると共に、前記無端ベルトの回転移動に従動して回転する不織布ローラであることを特徴とする請求項１〜５のいずれかに記載のベルト搬送装置。
【請求項７】
前記押圧部材は、前記無端ベルトの回転移動に従動して回転すると共に、前記記録媒体を前記無端ベルト表面に対して自重によって押圧する錘ローラであることを特徴とする請求項１〜６のいずれかに記載のベルト搬送装置。
【請求項８】
前記無端ベルトの上面に載置されて搬送される前記記録媒体に向けてインクを吐出することにより画像を記録する記録ヘッドと、
請求項１〜７のいずれかに記載のベルト搬送装置と、を備えることを特徴とする画像記録装置。
【発明の詳細な説明】
【技術分野】
【０００１】
本発明は、ベルト搬送装置及び画像記録装置に関し、詳しくは、無端ベルト表面に対して当接及び離反する２つの部材の離反動作を一つの操作で行えるようにしたベルト搬送装置及び画像記録装置に関する。
【背景技術】
【０００２】
近年、微細なインクを吐出する記録ヘッドを使用して、種々の記録媒体に対して高精細な画像を記録する画像記録装置が広く普及している。特に、記録媒体として布帛を使用することにより、様々な画像を記録するインクジェット記録装置（捺染装置）では、布帛を無端ベルトの表面に密着させて搬送するベルト搬送装置によって搬送するものが知られている。
【０００３】
このようなベルト搬送装置を使用して記録媒体、特に布帛を搬送する場合、ミスフィード時、縁なし画像の記録時、インクの裏抜け時等にベルト表面にインクが付着する場合がある。ベルト表面に付着したインクは、新たに供給されてくる布帛に転移して該布帛を汚染してしまい、画像欠陥を発生させる問題がある。
【０００４】
このため特許文献１では、布帛が剥離した後のベルト表面に洗浄液を吸収する洗浄ローラを圧接させて清掃と洗浄液の吸収とを行うクリーニング装置を設けている。
【０００５】
また、特許文献２では、布帛が剥離した後のベルト表面を洗浄液によって清掃するブラシローラと、該ブラシローラよりもベルト搬送方向下流側に、ベルト表面の洗浄液を吸収するスポンジローラとを設けている。
【０００６】
特許文献１のように、１本の洗浄ローラによって洗浄液を用いた清掃と同時に洗浄液の吸収（拭き取り）を行う構成では、清掃と拭き取りのバランス調整が難しく、拭き取りきれない水分がベルト表面に残ってしまうことがある。
【０００７】
このため本発明者は、洗浄液を用いて洗浄された後のベルト表面に洗浄液を吸収して除去するための洗浄液除去部材を配置し、この洗浄液除去部材をベルト表面に当接させることにより、洗浄液によって洗浄された後のベルト表面の最終的な拭き取り仕上げを行うベルト搬送装置を備えた画像記録装置を提案した。
【０００８】
このような構成を有するベルト搬送装置及び画像記録装置を図９に示す。
【０００９】
図中、１００はベルト搬送装置、２００はベルト搬送装置１００を備えた画像記録装置である。
【００１０】
ベルト搬送装置１００において、１は無端ベルトであり、ここでは所定間隔をおいて平行に配置された２本のローラ１１、１２間に架け渡されている。図中左側のローラ１１は不図示の駆動源と接続されて回転駆動する駆動ローラ、図中右側のローラ１２は従動ローラであり、駆動ローラ１１が図中反時計方向に回転駆動することにより、無端ベルト１を矢印で示すように反時計方向に回転移動させるようになっている。
【００１１】
これら駆動ローラ１１と従動ローラ１２とに架け渡されている無端ベルト１の上面は記録媒体Ｐを載置して搬送する面であり、新たな記録媒体Ｐが無端ベルト１の上面に供給されて載置されることにより搬入を開始する搬入端Ｐａと記録媒体Ｐを上面から剥離して排出する排出端Ｐｂとの間で記録媒体Ｐを密着させ、無端ベルト１の回転移動によって搬送を行う。
【００１２】
なお、ここでは記録媒体Ｐとして長尺ウェブ状の布帛を使用した例を示している。
【００１３】
２は搬入端Ｐａに設けられた錘ローラ（押圧部材）であり、無端ベルト１の移動に従動して回転しながら、無端ベルト１上に新たに供給されて載置される記録媒体Ｐを、その上から自重によって無端ベルト１の表面に向けて圧接して密着させる。
【００１４】
３は排出端Ｐｂよりも無端ベルト１の移動方向下流側に設けられ、無端ベルト１の表面を洗浄液を用いて洗浄するための洗浄部材であり、上流側から順に、無端ベルト１の幅方向に亘って洗浄液を散水するための散水パイプ３１と、無端ベルト１の表面を摺擦して付着したインク汚れや糸くず等のゴミを除去するためのブラシローラ３２と、洗浄槽３４内の洗浄液に浸漬され、無端ベルト１の表面に当接して清掃と拭き取りとを行うためのスポンジローラ３３とを有している。
【００１５】
４は無端ベルト１を挟んで従動ローラ２２と反対側に設けられた拭き取りローラ（洗浄液除去部材）であり、洗浄部材３よりも無端ベルト１の移動方向下流側であって搬入端Ｐａよりも無端ベルト１の移動方向上流側に設けられ、無端ベルト１の表面に当接することにより、洗浄部材３によって洗浄された後の無端ベルト１の表面に残留する水分を吸収し、最後の拭き取り仕上げを行う。ここでは、ローラ表面に不織布を巻き付けた不織布ローラからなり、無端ベルト１に当接することで、従動して回転しながら拭き取りを行うようになっている。
【００１６】
画像記録装置２００は、かかるベルト搬送装置１００における無端ベルト１の上方に所定間隔をおいて記録ヘッド５が配置されており、無端ベルト１の上面に載置されて搬送される記録媒体Ｐの表面に向けてインクを吐出することにより所定の画像を記録する。
【００１７】
このようなベルト搬送装置１００及び画像記録装置２００は、新たな記録媒体Ｐが載置される直前に、最後の拭き取り仕上げを行うための拭き取りローラ４を有することにより、主たる洗浄は記録媒体Ｐが剥離した直後に洗浄部材３によって行い、最終的な拭き取りは新たな記録媒体Ｐが載置される直前に拭き取りローラ４によって行うというように、各機能をそれぞれ分離できるので、洗浄部材３を通過後の無端ベルト１の表面に残留する水分があっても、拭き取りローラ４によって拭き取り除去することができるようになる。
【００１８】
このため、洗浄部材３において清掃と拭き取りとのバランス調整を行うという煩雑な調整作業の必要がなくなり、清掃効果を更に高めることができる利点を有している。
【先行技術文献】
【特許文献】
【００１９】
【特許文献１】特開２００５−２１２２６６号公報
【特許文献２】特開２００５−２８０９４２号公報
【発明の概要】
【発明が解決しようとする課題】
【００２０】
ところで、無端ベルトの表面は、記録媒体を皺のないように密着させて搬送するため粘着性を有している。このため、装置の稼働停止後は、無端ベルトへの粘着を防止してベルト表面を保護するため、無端ベルトに接触している部材をベルト表面から退避させる解除動作を行う必要がある。例えば、図９の例では、錘ローラ２、ブラシローラ３２、スポンジローラ３３、拭き取りローラ４が無端ベルト１に接触しているため、稼働停止後はこれらを無端ベルト１の表面から退避させる必要がある。
【００２１】
このとき、ブラシローラ３２とスポンジローラ３３は、オペレータのアクセスが容易な記録媒体Ｐの排出端Ｐｂ側に互いに近接して配置されており、また、錘ローラ２は、オペレータのアクセスが比較的容易な無端ベルト１の上面側に配置されているため、装置の稼働停止後に部材の解除動作を行う際、これらブラシローラ３２、スポンジローラ３３及び錘ローラ２はオペレータによって確実に解除され得るのに対し、拭き取りローラ４は、オペレータが確認しづらい記録媒体Ｐの搬入側の無端ベルト１の下方に位置しているため、同じく無端ベルト１の搬入側に配置される錘ローラ２の解除動作を行うことで搬入側の解除動作は終了したと勘違いされ易く、拭き取りローラ４の解除は見過ごされがちになって解除のし忘れ（ヒューマンエラー）が発生し易い。
【００２２】
特に、拭き取りローラ４の表面が不織布等の吸液性の高い部材によって構成される場合、解除のし忘れによって無端ベルト１の表面に当接したままになると、無端ベルト１の粘着性によって密着して絡み付いてしまい、再稼働時に無端ベルト１が回転移動した際、無端ベルト１や拭き取りローラ４の表面を傷めてしまうおそれがあった。
【００２３】
このようなヒューマンエラーは、全ての部材の解除動作を自動化することによって確実に防止することができるが、各部材を無端ベルトから離反させるための駆動源を個別に設ける必要があり、ベルト周辺の構造が複雑化すると共にコストアップを招いてしまう問題がある。
【００２４】
そこで、本発明は、無端ベルト表面に当接する一つの部材を該無端ベルト表面から離反させる解除動作を行うことで、ヒューマンエラーを招き易い洗浄液除去部材の解除動作も同時に行われるようにすることにより、解除動作の簡略化とヒューマンエラーの防止とを図り得るベルト搬送装置及びこれを備えた画像記録装置を提供することを課題とする。
【００２５】
本発明の他の課題は、以下の記載により明らかとなる。
【課題を解決するための手段】
【００２６】
上記課題は、以下の各発明によって解決される。
【００２７】
請求項１記載の発明は、回転移動することにより、記録媒体を載置して搬入を開始する搬入端と該記録媒体を上面から剥離して排出する排出端との間で該記録媒体を密着させて搬送するための無端ベルトと、
前記排出端よりも前記無端ベルトの移動方向下流側に設けられ、前記無端ベルト表面を洗浄液を用いて洗浄するための洗浄部材と、
前記洗浄部材よりも前記無端ベルトの移動方向下流側であって前記搬入端よりも移動方向上流側の前記無端ベルト表面の幅方向に亘って当接及び離反可能に設けられ、前記無端ベルト表面に当接することにより該無端ベルト表面に付着した洗浄液を吸収して除去するための洗浄液除去部材と、
前記無端ベルトの前記搬入端に対して当接及び離反可能に設けられ、前記記録媒体を前記無端ベルト表面に圧接するための押圧部材と、
前記押圧部材を前記無端ベルト表面から離反した解除位置に移動させるための押圧部材解除機構と、
前記押圧部材解除機構による前記押圧部材の離反動作に連動し、前記洗浄液除去部材を前記無端ベルト表面から離反した解除位置に移動させるための連動機構と、を備えることを特徴とするベルト搬送装置である。
【００２８】
請求項２記載の発明は、前記無端ベルトは、少なくとも前記搬入端側と前記排出端側にそれぞれ配置された２本のローラ間に架け渡されており、
前記洗浄液除去部材は、前記搬入端側の前記ローラに架け渡された部位の前記無端ベルト表面に対して当接及び離反可能に設けられていることを特徴とする請求項１記載のベルト搬送装置である。
【００２９】
請求項３記載の発明は、前記洗浄液除去部材は、前記無端ベルトの幅方向に亘って設けられた支持部材によって下方から支持され、前記無端ベルト表面に対して、前記支持部材を支点として、自重のみによって傾倒して当接していることを特徴とする請求項１又は２記載のベルト搬送装置である。
【００３０】
請求項４記載の発明は、前記連動機構は、先端に行くに従って先窄まりとなるテーパー状のガイド縁を有すると共に該ガイド縁が前記洗浄液除去部材の前記無端ベルト側に接離可能に設けられたくさび状部材と、前記押圧部材解除機構と前記くさび状部材とに亘って設けられ、前記押圧部材解除機構の解除動作を前記くさび状部材の前記洗浄液除去部材に対する接離動作に変換するリンク部材とを有し、
前記押圧部材解除機構の解除動作時に、前記リンク部材を介して、前記くさび状部材の前記ガイド縁を前記洗浄液除去部材に対して前記無端ベルト側から当接させつつ移動させることにより、前記洗浄液除去部材を前記ガイド縁によって案内し、前記支持部材を支点として、前記無端ベルト表面から離反する方向に移動させることを特徴とする請求項３記載のベルト搬送装置である。
【００３１】
請求項５記載の発明は、前記連動機構は、先端に行くに従って先窄まりとなるテーパー状のガイド縁を有すると共に該先端が前記洗浄液除去部材よりも前記無端ベルト側に接離可能に設けられたくさび状部材と、前記押圧部材解除機構に設けられ、該押圧部材解除機構の解除動作時に前記くさび状部材の端部に当接して該くさび状部材を前記ガイド縁が前記洗浄液除去部材に対して当接する方向に移動させる作動部材とを有し、
前記押圧部材解除機構の解除動作時に、前記作動部材が前記くさび状部材を移動させ、前記くさび状部材の前記ガイド縁を前記洗浄液除去部材に対して前記無端ベルト側から当接させつつ移動させることにより、前記洗浄液除去部材を前記ガイド縁によって案内し、前記支持部材を支点として、前記無端ベルト表面から離反する方向に移動させることを特徴とする請求項３記載のベルト搬送装置である。
【００３２】
請求項６記載の発明は、前記洗浄液除去部材は、洗浄液を吸収して除去するための不織布を表面に有すると共に、前記無端ベルトの回転移動に従動して回転する不織布ローラであることを特徴とする請求項１〜５のいずれかに記載のベルト搬送装置である。
【００３３】
請求項７記載の発明は、前記押圧部材は、前記無端ベルトの回転移動に従動して回転すると共に、前記記録媒体を前記無端ベルト表面に対して自重によって押圧する錘ローラであることを特徴とする請求項１〜６のいずれかに記載のベルト搬送装置である。
【００３４】
請求項８記載の発明は、前記無端ベルトの上面に載置されて搬送される前記記録媒体に向けてインクを吐出することにより画像を記録する記録ヘッドと、
請求項１〜７のいずれかに記載のベルト搬送装置と、を備えることを特徴とする画像記録装置である。
【発明の効果】
【００３５】
本発明によれば、無端ベルト表面に当接する一つの部材を該無端ベルト表面から離反させる解除動作を行うことで、駆動源を設けることなく、ヒューマンエラーを招き易い洗浄液除去部材の解除動作を同時に行うことができるようになり、解除動作の簡略化とヒューマンエラーの防止とを図り得るベルト搬送装置及びこれを備えた画像記録装置を提供することができる。
【図面の簡単な説明】
【００３６】
【図１】本発明に係るベルト搬送装置の搬入側の要部を示す斜視図
【図２】本発明に係るベルト搬送装置の搬入側の要部を示す側面図
【図３】連動機構の作用（解除を開始した状態）を説明する図
【図４】連動機構の作用（解除が完了した状態）を説明する図
【図５】解除が完了した拭き取りローラとくさび状部材との位置関係を示す説明図
【図６】連動機構の別の態様を示し、解除前の状態を示す説明図
【図７】連動機構の別の態様を示し、解除が完了した状態を示す説明図
【図８】拭き取りローラの別の態様を示す説明図
【図９】ベルト搬送装置を備えた画像記録装置の概略構成図
【発明を実施するための形態】
【００３７】
以下、本発明の実施の形態について図面を用いて説明する。
【００３８】
本発明に係るベルト搬送装置及び画像記録装置は、図９において説明したベルト搬送装置１００、画像記録装置２００と各構成部材の配置態様が同一であるため、ここでは本発明において特徴とする部位のみについて説明し、他の部位は図９における説明を援用する。
【００３９】
図１は、本発明に係るベルト搬送装置の搬入側の要部を示す斜視図、図２は、その側面図である。図９と同一符号の部位は同一構成の部位を示している。
【００４０】
無端ベルト１は、駆動ローラ１１（図１では示されていない。）と従動ローラ１２とに亘って架け渡され、駆動ローラ１１の回転駆動によって回転移動することで、搬入端Ｐａから無端ベルト１の上面に載置された記録媒体（図示せず）を図１中のＡ方向に向けて搬送するようになっている。
【００４１】
本発明における押圧部材である錘ローラ２は、無端ベルト１の幅方向に亘る長さを有しており、その両端の軸部２ａが、無端ベルト１を間に挟むよう立設された一対の軸受け板２１にそれぞれ支持されている。軸受け板２１は、従動ローラ１２のローラ軸両端を回転可能に軸支する従動ローラ受け基板１３にそれぞれ固定されており、上方に開放する縦長Ｕ字状の軸受け溝２１ａを有している。そして、錘ローラ２の軸部２ａが軸受け板２１の上端側からこの軸受け溝２１ａ内にそれぞれ挿入されることによって錘ローラ２を回転可能に支持している。
【００４２】
錘ローラ２は、自重によって軸部２ａが軸受け溝２１ａの下端又は下端近傍に達した状態で、無端ベルト１の表面に当接するようになっており、この状態のとき、搬入端Ｐａに供給された不図示の記録媒体を無端ベルト１に向けて圧接して密着させ、無端ベルト１の回転移動によって記録媒体が搬送されるのに従動して回転するようになっている。記録媒体の搬送に従動して回転するので、錘ローラ２が記録媒体の搬送や無端ベルト１の回転移動に対してほとんど抵抗となることはない。
【００４３】
本発明における洗浄液除去部材である拭き取りローラ４は、外周面に不織布が巻回された不織布ローラであり、無端ベルト１の幅方向に亘る長さを有し、従動ローラ受け基板１３にそれぞれ固定されて搬入側に向けて突出するように設けられた一対の規制板１４の間に配置されている。
【００４４】
これら一対の規制板１４の対向する内面側には、拭き取りローラ４の両端部４１をそれぞれ支持する支持ローラ１５が、無端ベルト１の表面から所定の間隔をおいて設けられている。各規制板１４には、拭き取りローラ４の軸方向と平行な軸１５ａが突設されており、支持ローラ１５は、この軸１５ａを中心にしてそれぞれ回転可能に設けられている。
【００４５】
拭き取りローラ４は、その両端部４１がそれぞれ支持ローラ１５上に載置されることで下方から支持されており、この支持ローラ１５との当接部位を支点として、無端ベルト１側に自重のみによってもたれ掛かるように傾倒することで、無端ベルト１の表面に当接している。
【００４６】
従って、拭き取りローラ４は、このように無端ベルト１の表面に当接した状態で、無端ベルト１の回転移動に従動して支持ローラ１５との間で回転する。無端ベルト１の回転移動に従動して回転するので、拭き取りローラ４が無端ベルト１の回転移動に対してほとんど抵抗となることはない。
【００４７】
また、拭き取りローラ４の回転軸はどこにも支持されておらず、無端ベルト１の幅方向の移動のみが一対の規制板１４によって規制されるようになっている。これにより、拭き取りローラ４の設置及び交換作業等のための取り出しを極めて容易に行うことができ、また、拭き取りローラ４の配置のための構造も極めて簡素化することができる。
【００４８】
なお、図２では、従動ローラ受け基板１３、規制板１４、軸受け板２１は図示省略している。
【００４９】
図１、図２において、６は錘ローラ２を無端ベルト１の表面から離反した解除位置に移動させるための解除機構である。この解除機構６は、一対の軸受け板２１にそれぞれ回動可能に軸着された回動板６１と、この回動板６１にそれぞれ回動可能に軸着されたフック部６２と、両回転板６１間に亘って設けられた操作レバー６３とを有している。
【００５０】
回動板６１は、無端ベルト１の回転移動方向側及び上方側にそれぞれ突出する第１の操作杆部６１１、６１２を有するＬ字状に形成され、両第１の操作杆部６１１、６１２の交差部に設けられた回動軸６１ａが、一対の軸受け板２１のそれぞれ内面側において、軸受け溝２１ａよりも無端ベルト１の回転移動方向のやや上流側に回動可能に軸支されている。第１の操作杆部６１１には、回動軸６１ａよりもやや先端側にガイドピン６１ｂがそれぞれ外側に向けて突設されており、対応する軸受け板２１に形成された回動軸６１ａを中心とする円弧状のガイド孔２１ｂと係合している。
【００５１】
フック部６２は、Ｊ字状に形成されており、その上端において各回動板６１の第１の操作杆部６１１の先端部に回動軸６２ａによって回動可能に吊り下げられており、錘ローラ２の各軸部２ａに対してそれぞれ下方から引っ掛けて係合することができるように配置されている。但し、錘ローラ２が記録媒体を無端ベルト１の表面に押圧している状態では、各フック部６２は、錘ローラ２の各軸部２ａよりもやや下方に位置して係合しておらず、錘ローラ２の従動回転を阻害しないようになっている。
【００５２】
操作レバー６３は、各回動板６１の第２の操作杆部６１２の先端同士に亘って設けられており、錘ローラ２を無端ベルト１の表面から離反した解除位置まで移動させる際に、オペレータによって把持される把持部となる。解除機構６は、この操作レバー６３を有することにより、オペレータによる解除動作を容易にし、後述する錘ローラ２の離反動作に連動する拭き取りローラ４の解除位置までの移動のための操作を容易にしている。
【００５３】
錘ローラ２の解除は、この操作レバー６３を搬入側に傾倒させて回動板６１を回動軸６１ａを中心にして回動させることによって行われる。この回動板６１の回動により、第１の操作杆部６１１側が上方に移動し、これに吊り下げられているフック部６２も上方に移動する。このフック部６２が上方へ移動すると、錘ローラ２の軸部２ａに対して下から係合し、これによって錘ローラ２の軸部２ａは軸受け溝２１ａに沿って上方に持ち上げられる。これによって錘ローラ２は無端ベルト１の表面から離反する（図３参照）。
【００５４】
図１、図２において、７は解除機構６による錘ローラ２の離反動作に連動し、拭き取りローラ４を無端ベルト１の表面から離反した解除位置に移動させるための連動機構である。この連動機構７は、一対の規制板１４の内面側にそれぞれ設けられたくさび状部材７１と、回動板６１とこのくさび状部材７１との間に亘って設けられたリンク部材７２とを有している。
【００５５】
くさび状部材７１は、上下方向に長い板状部材であり、その先端が拭き取りローラ４よりも無端ベルト１側に配置されるように、規制板１４の内面側にそれぞれ取り付けられている。くさび状部材７１には、上下に間隔をおいて２本のガイドピン７１ａ、７１ｂが突設されており、これらガイドピン７１ａ、７１ｂが規制板１４の対応する位置に形成された上下方向に長いガイド孔１４ａ、１４ｂにそれぞれ係合することによって、該規制板１４に対して上下方向に移動可能とされている。
【００５６】
くさび状部材７１の先端側（図中の下端側）の一側縁には、先端に行くに従って先窄まりとなるテーパー状のガイド縁７１ｃを有している。くさび状部材７１は、このガイド縁７１ｃが形成されている側縁が、拭き取りローラ４の両端部４１に対向するように配置されている。
【００５７】
図２は拭き取りローラ４が自重によって無端ベルト１の表面に当接している状態を示しているが、このとき、くさび状部材７１は拭き取りローラ４の両端部４１と接触しておらず、ガイド縁７１ｃが拭き取りローラ４よりも無端ベルト１側のやや上方に位置するように待機している。
【００５８】
リンク部材７２は、一端が回動板６１の第２の操作杆部６１２側に回動軸７２ａによって回動可能に軸支され、くさび状部材７１側に延びる他端側が幅広状に形成された板状部材である。その幅広部分には、くさび状部材７１の上側のガイドピン７１ａと係合する横長状のガイド孔７２ｂが形成されていると共に、このガイド孔７２ｂより下方に、規制板１４から突設されたガイドピン１４ｃと係合する横長状のガイド孔７２ｃが形成されている。これらガイド孔７２ｂとガイド孔７２ｃは、回動板６１側から遠くなるに従って次第に共に下方に傾斜し、且つ、互いが離反するように形成されている。
【００５９】
次に、この連動機構７の作用について図３〜図５を用いて説明する。図３は解除を開始した状態、図４は解除が完了した状態、図５は解除が完了した拭き取りローラ４とくさび状部材７１との位置関係を示している。
【００６０】
ベルト搬送装置（画像記録装置）の稼働停止の後、図３に示すように、オペレータが解除機構６の操作レバー６３を搬入側に傾倒させ、錘ローラ２を無端ベルト１の表面から離反した解除位置に向けて移動させると、回動軸６１ａを中心とした回動板６１の回動に伴って、回動板６１に軸支されたリンク部材７２の他端側が、規制板１４のガイドピン１４ｃにガイド孔７２ｃが案内されつつ下方向に移動し、くさび状部材７１のガイドピン７１ａをガイド孔７２ｂによって案内しながら、該くさび状部材７１を徐々に下方向に移動させる。くさび状部材７１は、下側のガイドピン７１ｂが規制板１４のガイド孔１４ｂによって案内されることで、この規制板１４に沿って徐々に下動する。
【００６１】
このくさび状部材７１の下動に伴い、その先端のガイド縁７１ｃが拭き取りローラ４の両端部４１に対し無端ベルト１側から当接し、そのテーパーに沿って拭き取りローラ４を徐々に無端ベルト１から離反させる方向に移動させる。拭き取りローラ４は、その両端部４１が支持ローラ１５によって支持されるのみであるため、この支持ローラ１５との当接部位を中心として無端ベルト１から離反する方向に徐々に回転するように移動する。
【００６２】
錘ローラ２が無端ベルト１から完全に離反した解除位置となるまで操作レバー６３を傾倒させると、図４に示すように、リンク部材７２の他端は下限まで移動し、くさび状部材７１を下限位置まで移動させる。これにより、拭き取りローラ４は、くさび状部材７１のガイド縁７１ｃによって最も無端ベルト１から離反した解除位置まで移動する。
【００６３】
なお、図示していないが、操作レバー６３又は回動板６１を解除位置の状態に保持するためのストッパー部材を設けており、錘ローラ２及び拭き取りローラ４を解除位置まで移動させた後は、このストッパー部材によって錘ローラ２及び拭き取りローラ４の解除状態が保持される。
【００６４】
拭き取りローラ４が解除位置まで移動した状態では、図５に示すように、拭き取りローラ４と支持ローラ１５との当接点４ａの位置は、拭き取りローラ４の回転中心Ｏから鉛直方向に下ろした線が外周と接する点４ｂよりも角度θだけくさび状部材７１から遠く離れた位置にある。このため、拭き取りローラ４は、この解除位置まで移動した状態であっても、くさび状部材７１のガイド縁７１ｃに、支持ローラ１５との当接点４ａを支点として、依然として自重によってもたれ掛かるように傾倒したままとなっている。従って、オペレータによって操作レバー６３が元に戻され、錘ローラ２が自重によって無端ベルト１に対して当接する位置まで復帰することによって、リンク部材７２を介してくさび状部材７１が上動すると、拭き取りローラ４は無端ベルト１の表面に当接する元の当接位置まで復帰する。
【００６５】
以上のように、錘ローラ２の解除機構６の離反動作に連動する連動機構７によって、拭き取りローラ４を無端ベルト１の表面から離反した解除位置まで移動させることができるので、オペレータによる解除機構６の操作だけで、同時に拭き取りローラ４の解除を行うことができ、拭き取りローラ４のみを解除し忘れてしまうヒューマンエラーが生じることはなくなる。連動機構７は、くさび状部材７１とリンク部材７２とを設けるだけの簡素な構成だけで済むため、駆動源を別途設ける場合のようなベルト周辺の構造の複雑化やコストアップを招くようなことはない。
【００６６】
しかも、拭き取りローラ４は、錘ローラ２が配置される従動ローラ１２に架け渡された部位の無端ベルト１の表面に対して当接及び離反可能に設けられており、同じく従動ローラ１２の近傍に配置されて互いに近接している錘ローラ２の解除動作と連動するようにしたので、連動機構７による連動距離が短くて済み、連動機構７の構造も簡素化できる。
【００６７】
図６、図７は、連動機構の別の態様を示している。図６は解除前の状態、図７は解除が完了した状態を示している。図１〜図５と同一符号の部位は同一構成であるため、詳細な説明は省略する。
【００６８】
この連動機構８は、解除機構６の回動板６１とくさび状部材７１とに亘って設けられるリンク部材７２を有しておらず、解除機構６とくさび状部材７１とは分離されている。
【００６９】
この連動機構８では、解除機構６の回動板６１に作動部材として機能する第３の操作杆部６１３が設けられており、解除機構６によって錘ローラ２の解除が行われると、初めてこの第３の操作杆部６１３がくさび状部材７１の上端に当接し、下方向に向けて移動させるようになっている。
【００７０】
第３の操作杆部６１３は、回動板６１の回動軸６１ａを挟んで第１の操作杆部６１１と反対方向に突出するように設けられることで、回動板６１が逆Ｔ字状となるように形成されており、図６に示すように、錘ローラ２が当接位置にあるとき、その先端はくさび状部材７１とは接触していない。
【００７１】
くさび状部材７１は、規制板１４のガイド孔１４ａ、１４ｂにそれぞれガイドピン７１ａ、７１ｂが係合することによって上下移動可能に取り付けられていると共に、規制板１４から突設する突部１４ｄとの間に設けられた付勢バネ７１ｄによって、常時上方向、すなわち先端が拭き取りローラ４から離反する方向に付勢されている。
【００７２】
このため、オペレータによって錘ローラ２が無端ベルト１から完全に離反した解除位置となるまで操作レバー６３を傾倒させると、図７に示すように、回動板６１の第３の操作杆部６１３がくさび状部材７１の上端に当接して該くさび状部材７１を付勢バネ７１ｄに抗して押し下げ、これにより、ガイド縁７１ｃを拭き取りローラ４に対して無端ベルト１側から当接させつつくさび状部材７１を下動させる。
【００７３】
このくさび状部材７１の下動に伴い、その先端のガイド縁７１ｃが拭き取りローラ４の両端部４１に対し無端ベルト１側から当接し、そのテーパーに沿って拭き取りローラ４を徐々に無端ベルト１から離反させる方向に移動させる。拭き取りローラ４は、その両端部４１が支持ローラ１５によって支持されるのみであるため、この支持ローラ１５との当接部位を中心として無端ベルト１から離反する方向に徐々に回転するように移動する。
【００７４】
錘ローラ２が無端ベルト１から完全に離反した解除位置となるまで操作レバー６３を傾倒させると、くさび状部材７１は下限位置まで移動し、これにより、拭き取りローラ４は、くさび状部材７１のガイド縁７１ｃによって最も無端ベルト１から離反した解除位置まで移動する。
【００７５】
このとき、図示していないが、操作レバー６３又は回動板６１を解除位置の状態に保持するためのストッパー部材によって錘ローラ２及び拭き取りローラ４の解除状態が保持される。
【００７６】
また、操作レバー６３を元の当接位置まで戻すと、回動板６１の第３の操作杆部６１３とくさび状部材７１との当接状態は解除されるので、くさび状部材７１は付勢バネ７１ｄの付勢力によって上動し、これによって拭き取りローラ４は、自重によって無端ベルト１の表面に向けてもたれ掛かるように再び傾倒して当接する。
【００７７】
このような連動機構８によっても、上述した連動機構７と同様の効果を発揮することができる。
【００７８】
以上の各態様では、拭き取りローラ４は、その回転軸が何ら支持されることのない構成としたが、図８に示すように、拭き取りローラ４の回転軸４ａを、例えば一端が規制板１４に対して回動軸９ａによって回転可能に設けられた支持腕９の他端に回動可能に取り付ける構成としてもよい。
【００７９】
この構成においても、拭き取りローラ４は、支持腕９の回動軸９ａを中心として、その自重によって無端ベルト１の表面に対してもたれ掛かるように傾倒することによって当接させることができ、その解除も、上述したように、くさび状部材７１によって同様に行うことができる。
【００８０】
また、以上の態様では、押圧部材として錘ローラ２を用い、記録媒体の搬送に従動して回転する構成としたが特に限定されず、この押圧部材は、例えば記録媒体との当接面が曲面状に形成され、無端ベルト１の幅方向に亘って架け渡される板状体や、無回転に架け渡された棒状体等であってもよい。
【００８１】
更に、以上の態様では、洗浄液除去部材として不織布ローラからなる拭き取りローラ４を用い、無端ベルト１の回転移動に従動して回転する構成としたが特に限定されず、この洗浄液除去部材は、無端ベルト１の表面に対して当接及び離反可能なブレード状等に形成されたスポンジ等の吸液部材によって構成してもよい。
【符号の説明】
【００８２】
１００：ベルト搬送装置
２００：画像記録装置
Ｐ：記録媒体
Ｐａ：搬入端
Ｐｂ：排出端
１：無端ベルト
１１：駆動ローラ
１２：従動ローラ
１３：従動ローラ受け基板
１４：規制板
１４ａ、１４ｂ：ガイド孔
１４ｄ：突部
１５：支持ローラ
１５ａ：軸
２：錘ローラ（押圧部材）
２ａ：軸部
２１：軸受け板
２１ａ：軸受け溝
２１ｂ：ガイド孔
３：洗浄部材
３１：散水パイプ
３２：ブラシローラ
３３：スポンジローラ
３４：洗浄槽
４：拭き取りローラ（洗浄液除去部材）
４１：両端部
５：記録ヘッド
６：解除機構
６１：回動板
６１ａ：回動軸
６１１：第１の操作杆部
６１２：第２の操作杆部
６１３：第３の操作杆部（作動部材）
６２：フック部
６２ａ：回動軸
６３：操作レバー
７、８：連動機構
７１：くさび状部材
７１ａ、７１ｂ：ガイドピン
７１ｃ：ガイド縁
７１ｄ：付勢バネ
７２：リンク部材
７２ａ：回動軸
７２ｂ、７２ｃ：ガイド孔
９：支持腕
９ａ：回動軸
【図１】
2012116620.tif 000003
【図２】
2012116620.tif 000004
【図３】
2012116620.tif 000005
【図４】
2012116620.tif 000006
【図５】
2012116620.tif 000007
【図６】
2012116620.tif 000008
【図７】
2012116620.tif 000009
【図８】
2012116620.tif 000010
【図９】
2012116620.tif 000011